(57)【要約】      （修正有）【課題】平板渦巻きコイルを多層に積み上げたコイルに、コイルからの発熱を抑制し、コイル外周をくまなく冷却する、サイクロン流を利用したサイクロン冷却機構を組み込んだ多層ラセン型電磁誘導コイルを提供する。【解決手段】コイルを収納するケース１とコイルとの隙間にサイクロン流１０を作り、コイルの外周及び底面からコイルの空芯部１４を通過する冷却風の経路を発現させ、平板渦巻き多層コイルを効率良く冷やすことを可能とする、サイクロン冷却機構を組み込んだ多層ラセン型電磁誘導コイル４を提供する。【選択図】図１
0003182433.tif 000002
【実用新案登録請求の範囲】
【請求項１】
平板型空芯渦巻きコイルを多層ラセン状に形成し、磁束密度を高めたコイルを冷却する為に、コイルを覆う形で円筒空間を設け、さらに冷却用空気を注入する注入口を、円筒空間の上層部に変心させて設けることで、冷却用空気が遠心力を発現し、コイル側面をなめるように下降し、さらにコイル底部を冷却しながら空心部から上昇し排気させコイル全体を効率良く冷却すること、を特徴とするサイクロン冷却機構を組み込んだ多層ラセン型電磁誘導コイル。
【請求項２】
コイル支持板をかえしてコイル側とコア側を分離し、二つの分離した空間を設けさらに空間どうしは、コイル最外周とコイル支持板との間に隙間を設けることで、二つの分離した空間には冷却用空気が出入できる構造を有すること、を特徴とする請求項１記載のサイクロン冷却機構を組み込んだ多層ラセン型電磁誘導コイル。
【請求項３】
コイル側空間とコア側の空間との開口部は、唯一コイル支持板とコイル最外周との間に設けた隙間のみで、空心部に空気漏れを防ぐパイプ状のガイドを設け、冷却用空気が注入口から排気まで一方向のみの流れを形成さすこと、を特徴とする請求項１記載のサイクロン冷却機構を組み込んだ多層ラセン型電磁誘導コイル。
【考案の詳細な説明】
【技術分野】
【０００１】本考案は、平板空芯渦巻きコイルを多層ラセン状に形成した電磁誘導コイルを、効率良く冷却する為に、サイクロン冷却機構を組み込んだ多層ラセン型電磁誘導コイルに関するものである。
【背景技術】
【０００２】従来のラセン状コイルは単巻きコイルが主で、複数巻を多層に積み上げてラセン状のコイルにすると磁力密度は向上する利点があるものの、コイル独自の発熱で通電時間の制限による実用性の問題や、輻射熱による温度上昇がコイルの耐久性に影響を及ぼし、コイルの冷却方法に課題が多く実用化は出来なかった。
【先行技術文献】
【特許文献】
【０００３】
【特許文献１】特開２００７−３５９８０号公報
【考案の開示】
【考案が解決しようとする課題】
【０００４】そこで、サイクロン機構を設けることで、遠心流をコイルの側面に発生させつつ、コイルの底面に向かう流れを作り、さらにコイルの空芯部より負圧により立ち昇る排気流を利用して、コイル全体を効率良く冷却する方式を本考案により創案された。【０００５】本考案は、以下の（ａ）（ｃ）を目的とする。
（ａ）  コイルを収納する為のケースは、熱伝導の良い熱放散性に優れる金属を使用し、コイルを覆う形で形成し、ケース内側面とコイル最外周の間に隙間を設け、さらに冷却風を導入する吸気口をケース側面の上層部にケースに沿わす形で設け、サイクロン流を発現さすことの出来る多層ラセン型電磁誘導コイルを提供すること、を目的とする。
（ｂ）  ケースは、コイル部とコイル支持板とを介してコア部の２空間を設け、２空間はコイル支持板とコイル最外周の隙間でつながり、コア側の冷却はコイル側の冷却風の負圧により流動する機構を取り入れた、多層ラセン型電磁誘導コイルを提供すること、を目的とする。
（ｃ）  ケースは、冷却空気の流れを一方向のみの流れとする為、コア側の空芯部にパイプ状のガイドを設けることで、コア側から漏れ出る冷却風を抑える機構を付加した、多層ラセン型電磁誘導コイルを提供すること、を目的とする。
【課題を解決する為の手段】
【０００６】上記課題を解決する為には、コイル全体を冷却しなければ成らず、サイクロン流を発現さすことで、コイル側面及び底面と空芯部のコイル内面及び、コア側のコイル上面を効率良く冷却することを可能とすること、を特徴とする。
【考案の効果】
【０００７】請求項１に関わる考案は、平板型空芯渦巻きコイルを多層に積み上げた形状で構成されている為、コイルから発熱する熱を冷却するには、コイルのコア側及びワーク側さらには、コイル側面と空芯状のコイル、コイルの全外周を効率的に冷却しなければならず、其の為には、冷却空気の流入口を収納ケース上部側面側に変芯させ設けることでサイクロン気流を発現させ、冷却風がサイクロン流の特性により側面から、底面を冷却し、空芯部に導入し外部へ排気される経路を構築し、コイルの全外周を冷却可能としたこと、を特徴とする。
【０００８】請求項２に関する考案は、コイルはコイル部とコイル支持板とを介してコア部と２つに分離形成されている為、コイル収納ケースはどうしても２分割された構造になる。コイル支持板とコイルの間に隙間を設けることは、２分割された収納ケース空間がつながり空気の流通が可能となり、コイル側で発現するサイクロン流の特性で、コア側の空気はコイル側に吸引され冷気の流通が行われる。隙間を空けることとサイクロン流の特性を利用し、２分割されていても効率良くコイル全周を冷却可能とすること、を特徴とする。
【０００９】請求項３に関する考案は、コア側に排気用のガイドを設けることで、密閉度を高め加圧された冷却風が２分割された収納ケース内で、吸気と排気が混合されるのを防ぎ、効率良くコイル全周を冷却可能とすること、を特徴とする。
【考案を実施するための最良の形態】熱伝導性に優れる金属で、多層ラセン型電磁誘導コイルを覆う形でコイル収納ケースを形成し、収納ケースの内部は、コア部とコイル部をコイル支持板で分割し、コイルとコイル支持板に隙間を設ける事で、２分割される空間内部の空気が流通でき、またコイルと収納ケースに隙間をとり、さらに冷却空気の取り入れ口を収納ケース側面に設ける事で、冷却空気流入口が変芯しサイクロン流が発現する。サイクロン流は、コイル側面から底面と流れ空芯コイル内部を冷却しながら上昇しコイル全周を効率良く冷却するコイルと収納するケースを、提供する事を可能とした。
【実施例１】
【００１０】この考案の実施例を図１、図２、に示す。図１のサイクロン冷却機構を設けた多層ラセン型電磁誘導コイルの概要について述べる。【００１１】図１は、サイクロン冷却機構を設けた多層ラセン型電磁誘導コイルの実施形態図を表わし、コイル支持板３を介してコア２と多層ラセン型電磁誘導コイル４が一体で形成されている。【００１２】熱伝導性の優れた金属で作られたコイル収納ケース１と断熱プレート１２にはさみ込まれる形で、一体で形成された多層ラセン型電磁誘導コイル４はコイル収納ケース１に組み込まれる。【００１３】組み込まれた多層ラセン型電磁誘導コイル４は、コイル支持板３があるため、コア２側と多層ラセン型電磁誘導コイル４側で分断され２つの空間に分離され空気の移動が出来ないが、多層ラセン型電磁誘導コイル４の外周とコイル支持板３に２空間をつなぐ隙間１３を設ける事で、空気移動が可能となる。【００１４】冷却用の吸気口７は、コイル収納ケース１の外側面に沿わすように変芯させて設けられている為、流入した冷却空気９は、コイル収納ケース１の側面と多層ラセン型電磁誘導コイル４との間に出来る隙間５により、空気の流れはサイクロン流１０となり、多層ラセン型電磁誘導コイル４の外周をなめるように冷却しながら下降して多層ラセン型電磁誘導コイル４の底面を冷やし、さらに多層ラセン型電磁誘導４の空芯部に流入し上昇し、排気口８より外部へ排気１１として放出される。【００１５】一連のサイクロン流１０の流れで、多層ラセン型電磁誘導コイル４の外周はくまなく冷却される。【００１６】２空間に分離されている空間コア２側の冷却は、サイクロン流１０で発現する負圧で、コア２側の空気は多層ラセン型電磁誘導コイル４側に移動するので、冷却効果を得ることが出来る。【００１７】コア２側の空間は、排気経路にガイド６を設け密閉度を持たせて、サイクロン流１０がコア２側の空気と混合することなく排気されるように形成されている。【００１８】図２は、コイル支持板２をコア２側から見た平面図で、多層ラセン型電磁誘導コイル４とコイル支持板３との間にできる、２空間をつなぐ隙間１３をより詳しく表わしたものである。この隙間を通じてコア２側と多層ラセン型電磁誘導コイル４側の空間は、空気の流通が行われる。
【図面の簡単な説明】
【００１９】
【図１】サイクロン冷却機構を設けた多層ラセン型電磁誘導コイルの実施形態図
【図２】コイル収納ケースと挿入コイルの状態を表わす平面図
【符号の説明】
【００２０】  １  コイル収納ケース
２  コア
３  コイル支持板
４  多層ラセン型電磁誘導コイル
５  隙間（ケース側面とコイル間）
６  ガイド
７  吸気口
８  排気口
９  冷却空気
１０  サイクロン流
１１  排気
１２  断熱プレート（トッププレート）
１３  ２空間をつなぐ隙間
１４  空芯部
【図１】
0003182433.tif 000003
【図２】
0003182433.tif 000004